(57)【特許請求の範囲】
【請求項１】
洗濯機本体の上部を覆う筐体カバーと、この筐体カバーの略中央部に後方を軸支し開閉自在に設けた蓋体とを備え、前記蓋体の左右の端面の少なくとも一方の端面に略水平方向に入り込んだ溝部を形成するとともに、前記下方を側方外側に延ばすことでひさし部を形成し、前記ひさし部は下方に向けて湾曲する湾曲部を有し、前記溝部には、一端が挿入されて係止されるとともに他端が前記ひさし部の端面を下方から覆うようにして飾り板が取り付けられ、前記飾り板は、前記ひさし部の湾曲部の湾曲形状に沿うように湾曲形状に形成された湾曲部を有する洗濯機等の蓋装置。
【請求項２】
飾り板の湾曲部における湾曲形状の曲率半径は、ひさし部の湾曲部における湾曲形状の曲率半径より小さくなるように構成することで、前記飾り板の湾曲部と前記ひさし部の湾曲部との間に隙間を設けるようにした請求項１記載の洗濯機等の蓋装置。
【請求項３】
飾り板は、透明樹脂等で構成した請求項１または２に記載の洗濯機等の蓋装置。
【発明の詳細な説明】
【０００１】
【発明の属する技術分野】
本発明は、機器本体の上面に開閉自在に設けた洗濯機等の蓋装置に関するものである。
【０００２】
【従来の技術】
従来、この種の洗濯機等の蓋装置は図９に示すように構成していた。以下、その構成について説明する。
【０００３】
図９に示すように、洗濯機本体１の上方に洗濯機本体１を覆うように筐体カバー２を搭載し、その筐体カバー２の略中央部に後方にて一端を軸支部３により上方へ回動自在に軸支し、この軸支部３と略平行な軸線４に沿って折りたたみ可能に連結した２つの蓋体５ａ、５ｂを開閉自在に設けている。
【０００４】
一方の蓋体５ａの端部に、図１０に示すように、軸線４に沿って片持ち支持される複数の軸受け６をほぼ両端７ａ、７ｂから略等間隔に一体形成し、他方の蓋体５ｂに、軸受け６と対応する位置に軸受け部８を一体形成している。これら２枚の蓋体５ａ、５ｂは、軸９を軸受け６と軸受け部８に貫通し、回動自在としている。また２枚の蓋体５ａ、５ｂの両端部７ａ、７ｂは下側に略Ｌ字形状に形成して、その下側端面は２枚の蓋体５ａ、５ｂを閉じたときに筐体カバー２に当接している。
【０００５】
【発明が解決しようとする課題】
このような従来の構成では、蓋体５ａ、５ｂは一般的に樹脂で形成しており、蓋体５ａ、５ｂの開閉時における筐体カバー２への衝撃によって、蓋体５ａ、５ｂの端部よりひび、割れ等を発生し、蓋体５ａ、５ｂが破損するという問題を有していた。また、飛散した洗剤、太陽の光等によって蓋体５ａ、５ｂの端面は脆弱化を促進されていた。
【０００６】
本発明は上記従来の課題を解決するもので、蓋体の端面を別部品にて補強することにより端面からのひび、割れ等の発生を防止し、蓋体の破損を防止することを目的としている。
【０００７】
【課題を解決するための手段】
本発明は上記目的を達成するために、洗濯機本体の上部を覆う筐体カバーの略中央部に後方を軸支した蓋体を開閉自在に設け、蓋体の左右の端面の少なくとも一方の端面に略水平方向に入り込んだ溝部を形成するとともに、下方を側方外側に延ばすことでひさし部を形成し、ひさし部は下方に向けて湾曲する湾曲部を有し、溝部には、一端が挿入されて係止されるとともに他端がひさし部の端面を下方から覆うようにして飾り板が取り付けられ、飾り板は、ひさし部の湾曲部の湾曲形状に沿うように湾曲形状に形成された湾曲部を有するものである。
【０００８】
これにより、蓋体の端面を補強することができ、端面からのひび、割れ等の発生を防止することができる。
【０００９】
【発明の実施の形態】
本発明の請求項１に記載の発明は、洗濯機本体の上部を覆う筐体カバーと、この筐体カバーの略中央部に後方を軸支し開閉自在に設けた蓋体とを備え、前記蓋体の左右の端面の少なくとも一方の端面に略水平方向に入り込んだ溝部を形成するとともに、前記下方を側方外側に延ばすことでひさし部を形成し、前記ひさし部は下方に向けて湾曲する湾曲部を有し、前記溝部には、一端が挿入されて係止されるとともに他端が前記ひさし部の端面を下方から覆うようにして飾り板が取り付けられ、前記飾り板は、前記ひさし部の湾曲部の湾曲形状に沿うように湾曲形状に形成された湾曲部を有するものであり、蓋体の強度を向上することができ、蓋体の開閉時における筐体カバーへの衝撃による蓋体端部よりのひび、割れ等の発生を抑制でき、蓋体の破損を防ぐことができる。また、飛散した洗剤、太陽の光等による蓋体の端面の脆弱化を飾り板で補強することで、抑えることができる。さらに、略水平方向に溝部を形成したことにより長期の使用により溜まるほこり等の溝部への侵入を防ぐことができる。
【００１０】
請求項２に記載の発明は、上記請求項１に記載の発明において、飾り板の湾曲部における湾曲形状の曲率半径は、ひさし部の湾曲部における湾曲形状の曲率半径より小さくなるように構成することで、前記飾り板の湾曲部と前記ひさし部の湾曲部との間に隙間を設けるようにしたものであり、蓋体の端面の強度を向上することができるとともに、飾り板とひさし部の間に構成される隙間部が緩衝材の代わりとなり、蓋体の開閉時における筐体カバーへの衝撃による蓋体の端部よりのひび、割れ等の発生を抑制でき、蓋体の破損をさらに防ぐことができる。
【００１１】
請求項３に記載の発明は、上記請求項１または２に記載の発明において、飾り板は、透明樹脂等で構成したものであり、万一、蓋体の開閉時における筐体カバーへの衝撃により、蓋体の端部よりひび、割れ等が発生したとしても、飾り板を外すことなく視認することができ、安全性を向上することができる。
【００１２】
【実施例】
以下、本発明の実施例について、図面を参照しながら説明する。なお、従来例と同じ構成のものは同一符号を付して説明を省略する。
【００１３】
（実施例１）
図２に示すように、洗濯機本体１の上方に洗濯機本体１を覆うように筐体カバー２を搭載し、その筐体カバー２の略中央部に後方にて一端を軸支部１０により上方へ回動自在に軸支し、この軸支部１０と略平行な軸線１１に沿って折りたたみ可能に連結した２つの蓋体１２ａ、１２ｂを開閉自在に設けている。給水弁１３は洗濯機本体１内に設けた洗濯槽（図示せず）に給水するものである。
【００１４】
蓋体１２ａ、１２ｂの両側端面に、図１に示すように、略水平方向に入り込んだ溝部１４を形成し、この溝部１４に飾り板１５の一端を挿入して、飾り板１５を取り付ける。
【００１５】
上記構成において作用を説明する。使用者が衣類を出し入れする際、蓋体１２ａ、１２ｂを開閉するが、蓋体１２ａ、１２ｂを閉めるときに勢いよく閉めることが多く、蓋体１２ａ、１２ｂには筐体カバー２より衝撃力が作用する。また、洗濯を行うときには洗剤が必要であるが、こぼしたりすることで蓋体１２ａ、１２ｂや筐体カバー２に付着する。蓋体１２ａ、１２ｂや筐体カバー２は一般的に樹脂製であるため、洗剤が長時間付着するともろくなる。
【００１６】
これらの衝撃力や洗剤付着は蓋体１２ａ、１２ｂの両端にひびや割れを発生させ、最悪の場合、蓋体１２ａ、１２ｂの破損につながり、使用者に不安全となる。しかしながら、蓋体１２ａ、１２ｂは両側端面に略水平方向に入り込んだ溝部１４を構成し、その溝部１４に飾り板１５の一端を挿入して飾り板１５を取り付けているため、蓋体１２ａ、１２ｂの両側端面には筐体カバー２からの衝撃力が緩和され、蓋体１２ａ、１２ｂのひびや割れの発生を抑えることができ、蓋体１２ａ、１２ｂの破損を防ぐことができる。また、略水平方向に溝部９を形成したことにより、長期の使用により溜まるほこり等の溝部１４への侵入を防ぐことができ、清潔感を向上することができる。
【００１７】
なお、本実施例では、蓋体１２ａ、１２ｂの両側端面に略水平方向に入り込んだ溝部１４を形成し、この溝部１４に飾り板１５の一端を挿入して取り付けているが、蓋体１２ａ、１２ｂの一方の端面に溝部１４を形成し、この溝部１４に飾り板１５を取り付けてもよく、同様の作用効果を得ることができる。
【００１８】
（実施例２）
図３に示すように、蓋体１６ａ、１６ｂは、両側端面に略水平方向に形成した溝部１７の下方を側方へ延ばし、ひさし部１８を形成している。溝部１７に飾り板１９の一端を挿入して、ひさし部１８を飾り板１９にて覆うように飾り板１９を取り付ける。他の構成は上記実施例１と同じである。
【００１９】
上記構成において作用を説明する。使用者が衣類を出し入れする際、蓋体１６ａ、１６ｂを開閉するが、蓋体１６ａ、１６ｂを閉めるときに勢いよく閉めることが多く、蓋体１６ａ、１６ｂには筐体カバー２より衝撃力が作用する。また、洗濯を行うときには洗剤が必要であるがこぼしたりすることで、蓋体１６ａ、１６ｂや筐体カバー２に付着する。蓋体１６ａ、１６ｂや筐体カバー２は一般的に樹脂製であるため、洗剤が長時間付着するともろくなる。
【００２０】
これらの衝撃力や洗剤付着は、蓋体１６ａ、１６ｂにひびや割れを発生させ、最悪の場合、蓋体１６ａ、１６ｂの破損につながり使用者に不安全となる。しかしながら、蓋体１６ａ、１６ｂにひさし部１８を構成することにより、蓋体１６ａ、１６ｂと飾り板１９は強度を相互補完するため、筐体カバー２との衝撃力を緩和することができ、蓋体１６ａ、１６ｂのひび、割れを抑えることができ、結果として、蓋体１６ａ、１６ｂの破損を防ぎ、使用者の安全性を向上することができる。
【００２１】
また、略水平方向に溝部１７を形成したことにより、長期の使用により溜まるほこり等の溝部９への侵入を防ぐことができ、清潔感を向上することができる。
【００２２】
なお、本実施例では、ひさし部１８を蓋体１６ａ、１６ｂの下方から形成したが、上方から形成しても同様の効果を得られることはいうまでもない。
【００２３】
（実施例３）
図４に示すように、蓋体２０ａ、２０ｂは、両側端面に略水平方向に形成した溝部２１の下方を側方へ延ばし、ひさし部２２を形成し、このひさし部２２を下方に向けて湾曲させて弾力を持たしている。溝部２１に飾り板２３の一端を挿入して、ひさし部２２の形状に沿うように飾り板２３を取り付ける。他の構成は上記実施例２と同じである。
【００２４】
上記構成において作用を説明する。使用者が衣類を出し入れする際、蓋体２０ａ、２０ｂを開閉するが、蓋体２０ａ、２０ｂを閉めるときに勢いよく閉めることが多く、蓋体２０ａ、２０ｂには筐体カバー２より衝撃力が作用する。また、洗濯を行うときには洗剤が必要であるがこぼしたりすることで、蓋体２０ａ、２０ｂや筐体カバー２に付着する。蓋体２０ａ、２０ｂや筐体カバー２は一般的に樹脂製であるため、洗剤が長時間付着するともろくなる。
【００２５】
これらの衝撃力や洗剤付着は蓋体２０ａ、２０ｂにひびや割れを発生させ、最悪の場合、蓋体２０ａ、２０ｂの破損につながり、使用者に不安全となる。しかしながら、蓋体２０ａ、２０ｂは両側端面のひさし部２２を湾曲させることで両側端面に弾力を持つことになり、さらに、ひさし部２２と同形状の飾り板２３の弾力性ともあいまって蓋体２０ａ、２０ｂの閉時に筐体カバー２との衝撃力を緩和できるため、蓋体２０ａ、２０ｂのひび、割れを抑えることができ、結果として蓋体２０ａ、２０ｂの破損を防ぎ、使用者の安全性を向上することができる。
【００２６】
また、略水平方向に溝部２１を構成し、さらに、溝部２１を下方へ湾曲させたことにより長期の使用により溜まるほこり等の溝部１６への侵入を防ぐことができ、清潔感を向上することもできる。
【００２７】
（実施例４）
図５に示すように、蓋体２４の両側端面に略水平方向に入り込んだ溝部２５を形成し、この溝部２５の内面に飾り板２６取り付け用の爪部２７を設けている。この爪部２７は、蓋体２４の外方へ傾斜を持ち、飾り板２６を入れ易くしている。また、爪部２７の下部の溝２５には蓋体穴部２８を設けており、飾り板２６挿入時に飾り板２６の逃がしとなっている。さらに、蓋体穴部２８は樹脂の成型時に金型が入り、爪部２７を構成できるようにもなっている。
【００２８】
飾り板２６には飾り板穴部２９を設け、溝部２５に飾り板２６の一端側を挿入した際に、溝部２５に形成した爪部２７と嵌合するように構成している。また、飾り板穴部２９の先端に傾斜面を設けており、飾り板２６を挿入時に入れ易くしている。爪部２７と飾り板穴部２９が嵌合し、飾り板２６は蓋体２４に固定される。他の構成は上記実施例１〜３のいずれかと同じである。
【００２９】
上記構成において作用を説明する。使用者が衣類を出し入れする際、蓋体２４を開け閉めするが、蓋体２４を閉めるときに勢いよく閉めることが多く、蓋体２４には筐体カバー２より衝撃力が作用する。また、洗濯を行うときには洗剤が必要であるがこぼしたりすることで蓋体２４や筐体カバー２に付着する。蓋体２４や筐体カバー２は一般的に樹脂製であるため、洗剤が長時間付着するともろくなる。
【００３０】
これらの衝撃力や洗剤付着は蓋体２４にひびや割れを発生させ、最悪の場合、蓋体２４の破損につながり使用者に不安全となる。しかしながら、蓋体２４は両側端面に略水平方向に入り込んだ溝部２５を構成し、その溝部２５に飾り板２６の一端を挿入して飾り板２６を取り付けているため、蓋体２４の両側端面への筐体カバー２からの衝撃力は緩和されるため、蓋体２４のひびや割れの発生を抑えることができ、蓋体２４の破損を防ぐことができる。
【００３１】
さらに、蓋体２４と飾り板２６は爪部２７と飾り板穴部２９にて嵌合しているため、飾り板２６の外れや落下等を防止でき、安全性をさらに向上することができる。また、略水平方向に溝部２５を形成したことにより長期の使用により溜まるほこり等の溝部２５への侵入を防ぐことができ、清潔感を向上することができる。
【００３２】
（実施例５）
図６に示すように、蓋体３０ａ、３０ｂは、両側端面に略水平方向に形成した溝部３１の下方を側方へ延ばし、ひさし部３２を形成し、このひさし部３２を下方に向けて湾曲させて弾力を持たしている。溝部３１に飾り板３３の一端を挿入して飾り板３３を取り付ける。ここで、飾り板３３は、ひさし部３２の端面を、ひさし部３２の下方を含む少なくとも２面を覆うように構成している。他の構成は上記実施例２〜４のいずれかと同じである。
【００３３】
上記構成において作用を説明する。使用者が衣類を出し入れする際、蓋体３０ａ、３０ｂを開閉するが、蓋体３０ａ、３０ｂを閉めるときに勢いよく閉めることが多く、蓋体３０ａ、３０ｂには筐体カバー２より衝撃力が作用する。また、洗濯を行うときには洗剤が必要であるがこぼしたりすることで、蓋体３０ａ、３０ｂや筐体カバー２に付着する。蓋体３０ａ、３０ｂや筐体カバー２は一般的に樹脂製であるため、洗剤が長時間付着するともろくなる。
【００３４】
これらの衝撃力や洗剤付着は蓋体３０ａ、３０ｂにひびや割れを発生させ、最悪の場合、蓋体３０ａ、３０ｂの破損につながり使用者に不安全となる。しかしながら、蓋体３０ａ、３０ｂは両側端面に略水平方向に入り込んだ溝部３１を形成し、その溝部３１に飾り板３３の一端を挿入して飾り板３３を取り付けており、飾り板３３は蓋体３０ａ、３０ｂのひさし部３２を下部まで覆うことで、筐体カバー２からの直接的な衝撃力や洗剤の付着を防止することができ、結果として蓋体３０ａ、３０ｂのひび、割れを抑えることができ、蓋体３０ａ、３０ｂの破損を防ぐことができるため、安全性を向上することができる。
【００３５】
また、略水平方向に溝部３１を形成したことにより長期の使用により溜まるほこり等の溝部３１への侵入も防ぐことができ、清潔感を向上することができる。
【００３６】
（実施例６）
図７に示すように、蓋体３４は、両側端面に略水平方向に形成した溝部３５の下方を側方へ延ばし、ひさし部３６を形成し、このひさし部３６を下方に向けて湾曲させている。溝部３５に飾り板３７の一端を挿入して飾り板３７を取り付ける。ここで、飾り板３７の曲率半径をひさし部３６の曲率半径より小さくし、蓋体３４と飾り板３７の湾曲部に隙間３８が生まれるように構成している。他の構成は上記実施例３〜５のいずれかと同じである。
【００３７】
上記構成において作用を説明する。使用者が衣類を出し入れする際、蓋体３４を開閉するが、蓋体３４を閉めるときに勢いよく閉めることが多く、蓋体３４には筐体カバー２より衝撃力が作用する。また、洗濯を行うときには洗剤が必要であるがこぼしたりすることで、蓋体３４や筐体カバー２に付着する。蓋体３４や筐体カバー２は一般的に樹脂製であるため、洗剤が長時間付着するともろくなる。
【００３８】
これらの衝撃力や洗剤付着は蓋体３４にひびや割れを発生させ、最悪の場合、蓋体３４の破損につながり使用者に不安全となる。しかしながら、蓋体３４は両側端面に形成したひさし部３６と飾り板３７の湾曲部に構成される隙間部３８が緩衝材の代わりとなり、蓋体３４の両側端面への筐体カバー２からの衝撃力は緩和されるため、蓋体３４のひび、割れを抑え、蓋体３４の破損を防ぐことができるため、安全性を向上することができる。
【００３９】
また、略水平方向に溝部３５を構成したことにより長期の使用により溜まるほこり等の溝部３５への侵入を防ぐことができ、清潔感を向上することができる。
【００４０】
（実施例７）
図７に示す飾り板３７を透明材料にて形成する。ここで、飾り板３７に成型上のスライド等のラインも入らないように、図８に示すような金型３９、４０、４１にて飾り板３７を成型する。他の構成は上記実施例２〜６のいずれかと同じである。
【００４１】
上記構成において作用を説明する。蓋体３４に加わる衝撃力や洗剤付着により、蓋体３４に、万一、ひびや割れが発生したとしても、飾り板３７が透明材料であるため、飾り板３７を通してそれを視認することができ、使用者は危険を回避できるため使用者の安全性を向上することができる。
【００４２】
【発明の効果】
以上のように本発明の請求項１に記載の発明によれば、洗濯機本体の上部を覆う筐体カバーと、この筐体カバーの略中央部に後方を軸支し開閉自在に設けた蓋体とを備え、前記蓋体の左右の端面の少なくとも一方の端面に略水平方向に入り込んだ溝部を形成するとともに、前記下方を側方外側に延ばすことでひさし部を形成し、前記ひさし部は下方に向けて湾曲する湾曲部を有し、前記溝部には、一端が挿入されて係止されるとともに他端が前記ひさし部の端面を下方から覆うようにして飾り板が取り付けられ、前記飾り板は、前記ひさし部の湾曲部の湾曲形状に沿うように湾曲形状に形成された湾曲部を有するから、蓋体の閉時に発生する筐体カバーとの衝撃力や洗剤付着による蓋体の脆弱化を緩和することができ、蓋体のひび、割れを抑えることができて、使用者の安全性を向上することができる。
【図面の簡単な説明】
【図１】  本発明の第１の実施例の洗濯機等の蓋装置の分解斜視図
【図２】  同洗濯機等の蓋装置を備えた洗濯機の一部切欠した斜視図
【図３】  本発明の第２の実施例の洗濯機等の蓋装置の分解斜視図
【図４】  本発明の第３の実施例の洗濯機等の蓋装置の分解斜視図
【図５】  （ａ）本発明の第４の実施例の洗濯機等の蓋装置の蓋体の一部切欠した斜視図
（ｂ）同洗濯機等の蓋装置の要部分解側面図
（ｃ）同洗濯機等の蓋装置の飾り板の一部切欠した斜視図
【図６】  本発明の第５の実施例の洗濯機等の蓋装置の分解斜視図
【図７】  （ａ）本発明の第６の実施例の洗濯機等の蓋装置の要部分解側面図
（ｂ）同洗濯機等の蓋装置の要部側面図
【図８】  本発明の第７の実施例の洗濯機等の蓋装置の飾り板の成型金型の断面図
【図９】  従来の洗濯機等の蓋装置を備えた洗濯機の上面図
【図１０】  同洗濯機等の蓋装置の分解側面図
【符号の説明】
１  洗濯機本体
２  筐体カバー
１２ａ  蓋体
１２ｂ  蓋体
１４  溝部
１５  飾り板
【図１】
0004003519.tif 000002
【図２】
0004003519.tif 000003
【図３】
0004003519.tif 000004
【図４】
0004003519.tif 000005
【図５】
0004003519.tif 000006
【図６】
0004003519.tif 000007
【図７】
0004003519.tif 000008
【図８】
0004003519.tif 000009
【図９】
0004003519.tif 000010
【図１０】
0004003519.tif 000011